(57)【要約】【課題】  水中で撮像した動画像などをマスクからすぐに確認すること。【解決手段】  デジタルカメラ部１０１による水中撮影を手元のリモコン部２０の操作のみで行い、マスク部１０のメガネ部１０４の液晶表示部１０２に再生画像を表示する。【選択図】  図２
2007074638.tif 000002
【特許請求の範囲】
【請求項１】
水中撮影を手元のコントローラーの操作のみで行い、マスク部に再生画像を表示することを特徴とする水中撮像装置。
【請求項２】
前記マスク部のメガネ部の片側に再生画像を表示することを特徴とする請求項１記載の水中撮像装置。
【請求項３】
カメラの露出不足信号およびストロボ強制発行信号により自動発光するストロボ部を備えることを特徴とする請求項１または２記載の水中撮像装置。
【請求項４】
リモコンボタンの操作により、撮像対象画像の拡大および縮小を行い、さらに撮像対象画像のピントがズレている時は、リモコンボタンの操作により、フォーカスを行うことを特徴とする請求項１から３のいずれか１項に記載の水中撮像装置。
【請求項５】
水中撮影を手元のコントローラーの操作のみで行い、マスク部に再生画像を表示することを特徴とする撮像方法。
【請求項６】
前記マスク部のメガネ部の片側に再生画像を表示することを特徴とする請求項５記載の撮像方法。
【請求項７】
カメラの露出不足信号およびストロボ強制発行信号により自動発光するストロボ部を備えることを特徴とする請求項５または６記載の撮像方法。
【請求項８】
リモコンボタンの操作により、撮像対象画像の拡大および縮小を行い、さらに撮像対象画像のピントがズレている時は、リモコンボタンの操作により、フォーカスを行うことを特徴とする請求項５から７のいずれか１項に記載の撮像方法。
【発明の詳細な説明】
【技術分野】
【０００１】
本発明は、水中で両手を自由にして撮像することができる技術に関する。
【背景技術】
【０００２】
従来、水中撮影をするには、重い機材を持ってダイビングしなければならなかったが、近年になって、デジタルカメラなどの普及により、小型化、軽量化が実現され、簡単に水中撮影ができるようになった。
【０００３】
しかしながら、実際の水中にて目標物の撮影を行ってみると、カメラを構えて撮影するのでは、シャッターチャンスを逃すことが多く、瞬時の撮影が今後の課題となっていた。
【０００４】
ここで、眼鏡型のフレームにカメラ部とディスプレイ部が設けられてなる電子カメラ本体を眼鏡のごとく撮影者の頭部に装着し、リモコン装置は腕時計のごとく撮影者の手首に装着可能な形態を有し、そのベルト部には、撮影者の筋肉の動きに伴う筋電信号を検出するための信号検出部を設け、撮影開始の指示やズーミング操作等のカメラ制御コマンドは、手首から先の手や指の動きや二の腕の動きの組み合わせからなる所定のジェスチャーに関連付けられており、撮影者は腕と手を動かすだけでその動きが信号検出部によって検出され、当該ジェスチャーに定義づけられているコマンドによってカメラが制御されることで、撮影者が手に何も持つことなく、カメラをコントロールすることができる技術が提案されている（例えば、特許文献１参照）。
【０００５】
また、ゴーグル本体部と、ゴーグル本体部に使用者の視線と同じ方向を撮影できるように固定され、かつ、シャッターボタンと手ぶれ補正機構を備えた撮像装置部とを有し、手ぶれ補正機構が、シャッターボタンが押された場合において、シャッターボタンから指が放れてから約０．１〜１秒後にシャッターを作動させ該シャッター作動中に撮像された被写体の画像情報を記録媒体に記録させるように制御する制御手段で構成することで、スキー、スノーボード、スキューバダイビングなどを楽しみながら、手ぶれをすることなく、気軽に写真撮影ができ、盗撮に悪用されることが無い技術が提案されている（例えば、特許文献２参照）。
【０００６】
また、ビデオカメラを水中においても水中マスクから容易に取り外したり、取り付けたりすることができるようにすることで、必要に応じてビデオカメラを手に持って撮影することができる技術が提案されている（例えば、特許文献３参照）。
【特許文献１】特開２０００−１３８８５８号公報
【特許文献２】特開２００５−０８６５２２号公報
【特許文献３】特開平０４−０８６６４２号公報
【発明の開示】
【発明が解決しようとする課題】
【０００７】
しかしながら、上述した従来例においては次のような問題点があった。
【０００８】
水中撮影が手元のコントローラーの操作のみでマスクを通して撮影できないため、水中カメラを使用する際には、片手にカメラを常に持ち撮影時には、両手で持って撮影しなければならなく、より鮮明な撮影を可能とすべく、両手を使ったり照明器具や外付けのストロボを空いた手で使用することが困難であった。また、撮像した動画像などを他の装置を用いることなくマスクですぐに確認することができなかった。
【０００９】
本発明は、以上説明した事情に鑑みてなされたものであり、その目的は、水中で撮像した動画像などをマスクからすぐに確認することである。
【課題を解決するための手段】
【００１０】
請求項１記載の発明は、水中撮影を手元のコントローラーの操作のみで行い、マスク部に再生画像を表示することを特徴とする水中撮像装置である。
【００１１】
請求項２記載の発明は、請求項１記載の水中撮像装置において、マスク部のメガネ部の片側に再生画像を表示することを特徴とする。
【００１２】
請求項３記載の発明は、請求項１または２記載の水中撮像装置において、カメラの露出不足信号およびストロボ強制発行信号により自動発光するストロボ部を備えることを特徴とする。
【００１３】
請求項４記載の発明は、請求項１から３のいずれか１項に記載の水中撮像装置において、リモコンボタンの操作により、撮像対象画像の拡大および縮小を行い、さらに撮像対象画像のピントがズレている時は、リモコンボタンの操作により、フォーカスを行うことを特徴とする。
【００１４】
請求項５記載の発明は、水中撮影を手元のコントローラーの操作のみで行い、マスク部に再生画像を表示することを特徴とする撮像方法である。
【００１５】
請求項６記載の発明は、請求項５記載の撮像方法において、マスク部のメガネ部の片側に再生画像を表示することを特徴とする。
【００１６】
請求項７記載の発明は、請求項５または６記載の撮像方法において、カメラの露出不足信号およびストロボ強制発行信号により自動発光するストロボ部を備えることを特徴とする。
【００１７】
請求項８記載の発明は、請求項５から７のいずれか１項に記載の撮像方法において、リモコンボタンの操作により、撮像対象画像の拡大および縮小を行い、さらに撮像対象画像のピントがズレている時は、リモコンボタンの操作により、フォーカスを行うことを特徴とする。
【発明の効果】
【００１８】
本発明によれば、水中で撮像した動画像などをマスクからすぐに確認することができる。
【発明を実施するための最良の形態】
【００１９】
以下、本発明の第１の実施の形態について図面を参照して詳細に説明する。
【００２０】
本実施の形態における水中撮像装置は、図１に示す通り、マスク部１０とリモコン部２０とで構成されている。
【００２１】
マスク部１０は、図２に示す通り、デジタルカメラ部１０１と、液晶表示部１０２と、ストロボ部１０３と、メガネ部１０４とで構成されている。
【００２２】
デジタルカメラ部１０１とストロボ部１０３はメガネ部１０４の中央の位置に接続される。
【００２３】
液晶表示部１０２は、メガネ部１０４の左右どちらか一方に装着される。
【００２４】
デジタルカメラ部１０１は、図３に示す通り、レンズ部１０１１と、制御部１０１２と、ＣＣＤ部１０１３と、メモリー部１０１４で構成されており、リモコン部２０からの信号により、制御部１０１２がこれらの各部を制御する。
【００２５】
液晶表示部１０２は、デジタルカメラ部１０１からの映像を表示する。カメラ撮影時には、リモコン部２０からのズーム信号に応じた撮影可能領域が、デジタルカメラ部１０１の制御部１０１２から表示される。
【００２６】
リモコン部２０のシャッターボタンを押すことにより、レンズ部１０１１からの画像がＣＣＤ部１０１３を通り、制御部１０１２を通してメモリー部１０１４に保存される。
【００２７】
再生時にはリモコン部２０からの再生信号をデジタルカメラ部１０１の制御部１０１２が読み取り、メモリー部１０１４に記録している画像を液晶表示部１０２に表示する。
【００２８】
ストロボ部１０３は、デジタルカメラ部１０１の制御部１０１２からの露出不足信号により自動発光する。これは、制御部１０１２のストロボ自動露出機能による。ストロボ自動露出機能はレンズ部１０１１からの光量を制御部１０１２で監視し露出をコントロールするものである。また、リモコン部２０からのストロボ強制発行信号によっても、制御部１０１２を通して発光する。
【００２９】
リモコン部２０は、図４に示す通り、コントロール部２０１と、時計部２０２と、電源部２０３と、表示部２０４とで構成されている。
【００３０】
リモコン部２０は防水処理されており、マスク部１０とケーブルで接続されている。また、リモコン部２０はダイバーウォッチの機能を有し、水深等が測定できバンドにより手首に固定できることであってもよい。
【００３１】
次に、図５を用いて本実施の形態における撮像処理の動作フローを詳細に説明する。
【００３２】
まず、図４のリモコン部２０に電池を入れることにより、時計部２０２が動作し表示部２０４の液晶表示に時刻が表示される（Ｓ５０１）。ここで、時計の時刻合わせは、リモコン部２０のリモコンボタンにより設定する。なお、時計のみの表示の時は、ダイバーウォッチとしての機能を有す。
【００３３】
次に、リモコン部２０の電源ボタンを押下すると、リモコン部２０の電源部２０３からコントロール部２０１に電圧が供給され、リモコン部２０の液晶表示が時刻からカメラモードに変化する（Ｓ５０２）。
【００３４】
同時に、コントロール部２０１からケーブルを通して、図２のマスク部１０に電圧が供給され、マスク部１０のデジタルカメラ部１０１、液晶表示部１０２が動作する（Ｓ５０３）。この時点では、液晶表示部１０２には、リモコン部２０からのズーム信号に応じた撮影可能領域の表示が、図３のデジタルカメラ部１０１の制御部１０１２から表示される。これは、図４のリモコン部２０のリモコンボタンの操作により、拡大や縮小が可能である。
【００３５】
次に、図４のリモコン部２０のリモコンボタンの操作で、シャッターボタンを押すことにより、リモコン部２０のコントロール部２０１を通って、マスク部１０の図３のデジタルカメラ部１０１に、シャッター信号が送出され、レンズ部１０１１が捕らえた画像がＣＣＤ部１０１３を通して制御部１０１２でデータ化されメモリー部１０１４に保存される（Ｓ５０４）。画像のピントがズレている時は、図４のリモコン部２０のリモコンボタンの操作で、フォーカスボタンを押すことにより、リモコン部２０のコントロール部２０１を通って、マスク部１０の図３のデジタルカメラ部１０１の制御部１０１２にフォーカス信号が送出され、レンズ部１０１１のフォーカスを駆動させる。
【００３６】
次に、ストロボ部１０３は、デジタルカメラ部１０１の制御部１０１２からの露出不足信号により自動発光する（Ｓ５０５）。これは、制御部１０１２のストロボ自動露出機能によるもので、レンズ部１０１１から入手した光量を制御部１０２０にある露出センサーで感知し発光量を制御する。また、リモコン部２０からのストロボ強制発光信号によっても、制御部１０１２を通してストロボ部１０３が発光する。
【００３７】
続いて再生時の処理動作について説明する。
【００３８】
再生は、図４のリモコン部２０のリモコンボタンの操作で再生ボタンを押すことにより、再生信号がリモコン部２０のコントロール部２０１を通ってマスク部１０に送出される（Ｓ５０６）。
【００３９】
マスク部１０のデジタルカメラ部１０１の制御部１０１２は再生信号を読み取り、メモリー部１０１４に記録している画像を液晶表示部１０２に表示する（Ｓ５０７）。液晶表示部１０２に再生される画像は、安全のため片目のみの再生とする。なお、図４のリモコン部２０のリモコンボタンの操作で、再生画像のコマ送りなどの選択が可能である。
【００４０】
上記の実施の形態によれば、水中にて目標物の撮影を行う際に、カメラを構えて撮影するのでは、シャッターチャンスを逃すことが多く、瞬時の撮影が必要という課題について、水中撮影が手元のコントローラーの操作のみでマスクを通して撮影でき、再生画像においてもマスクに再生画像を表示させることができるので、快適な水中撮影を実現することができる。
【００４１】
すなわち、目標物の撮影が素早くでき、撮影した画像がマスクの液晶画面に表示されるため、鮮明画像で確認ができ、両手がフリーになるため遊泳などの安全性が高まる。
【００４２】
また、他の機材が持てるようになり、手首やマスク部に、装置が密着しているためカメラの紛失や破損が少なくなる。
【００４３】
なお、上述する各実施の形態は、本発明の好適な実施の形態であり、本発明の要旨を逸脱しない範囲内において種々変更実施が可能である。例えば、上記の実施の形態における水中撮像装置の機能を実現するためのプログラムを当該装置に読込ませて実行することにより当該装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４４】
さらに、本発明は、水中だけではなく、スキーなどの両手が自由に使えないスポーツや、運転中や工事現場などにおいても適用できる。
【図面の簡単な説明】
【００４５】
【図１】本発明の実施形態における水中撮像装置の構成図である。
【図２】本発明の実施形態におけるマスク部の詳細図である。
【図３】本発明の実施形態におけるデジタルカメラ部の詳細図である。
【図４】本発明の実施形態におけるリモコン部の詳細図である。
【図５】本発明の実施形態における処理動作を示すフローチャートである。
【符号の説明】
【００４６】
１０    マスク部
２０    リモコン部
１０１    デジタルカメラ部
１０２    液晶表示部
１０３    ストロボ部
１０４    メガネ部
【図１】
2007074638.tif 000003
【図２】
2007074638.tif 000004
【図３】
2007074638.tif 000005
【図４】
2007074638.tif 000006
【図５】
2007074638.tif 000007